(57)【要約】【課題】  磁気ヘッドが搭載されたスライダへの振動伝達を抑制する防振機能を備えたハードディスクドライブのＨＧＡを提供する。【解決手段】  回動アームに連結されたロードビーム１５０と、磁気ヘッド１１０が搭載されたスライダ１２０と、一端がロードビーム１５０に結合され、他端の自由端がスライダ１２０を支持する弾性支持部材１３０と、ロードビーム１５０とスライダ１２０の間に介設されて両者の間の振動伝達を緩和させるダンパ２００とを含んで構成されるハードディスクドライブのヘッドジンバル組立体。【選択図】    図５
2004296074.tif 000002
【特許請求の範囲】
【請求項１】
回動アームに連結されたロードビームと、
磁気ヘッドが搭載されたスライダと、
一端が前記ロードビームに結合され、他端の自由端が前記スライダを支持する弾性支持部材と、
前記ロードビームと前記スライダの間に両者の間の振動伝達を緩和させるダンパとを含むことを特徴とするハードディスクドライブのヘッドジンバル組立体。
【請求項２】
前記ロードビームには前記スライダ側に突出されたロードポイントが形成され、前記ダンパは、前記弾性支持部材の前記スライダが支持された部位と前記ロードポイントとの間に介設されていることを特徴とする請求項１に記載のハードディスクドライブのヘッドジンバル組立体。
【請求項３】
前記ダンパは、プラスチック材質のダンピング部材を含むことを特徴とする請求項１に記載のハードディスクドライブのヘッドジンバル組立体。
【請求項４】
前記ダンパは、圧電素子を含むことを特徴とする請求項１に記載のハードディスクドライブのヘッドジンバル組立体。
【請求項５】
前記ダンパは、電流を供給することによって変位するマイクロアクチュエータを含むことを特徴とする請求項１に記載のハードディスクドライブのヘッドジンバル組立体。
【発明の詳細な説明】
【技術分野】
【０００１】
本発明は、ハードディスクドライブのヘッドジンバル組立体（Ｈｅａｄ−Ｇｉｍｂａｌ Ａｓｓｅｍｂｌｙ：ＨＧＡ）に関し、特に、磁気ヘッドが搭載されたスライダへの振動伝達を抑制する防振機能を備えたハードディスクドライブのヘッドジンバル組立体に関する。
【背景技術】
【０００２】
一般に、ハードディスクドライブには、図１に図示されたように、所定情報が記録されるハードディスクＤがスピンドルモータ４０により回転自在に設けられており、そのハードディスクＤの一側部には、ＨＧＡ １０を装着した回動アーム２０と、この回動アーム２０を回転駆動するボイスコイルモータ３０とを備えるアクチュエータが設けられている。このハードディスクＤに情報を記録し、および記録された情報を再生する時には、前記スピンドルモータ４０が回転してハードディスクＤを回転させる。そして、前記ボイスコイルモータ３０が、回動アーム２０を動かし、ＨＧＡ １０に搭載された磁気ヘッド１１（図２参照）をハードディスクＤ上の所望のトラック位置に移動させて情報の記録または再生が行なわれる。
【０００３】
ここで、前記ＨＧＡ １０は、図２および図３に図示されたように、前記回動アーム２０に結合されたベースプレート１６と、ヒンジ部材１４を介してベースプレート１６に連結されたロードビーム１５と、磁気ヘッド１１が搭載されたスライダ１２と、一端にロードビーム１５が結合され、他端の自由端に前記スライダ１２を支持する支持部を有する弾性支持部材１３とより構成されている。参照符号１５ａは、ロードビーム１５の下面に設けられたロードポイントを示し、このロードポイント１５ａは、前記スライダ１２を支持する弾性支持部材１３の支持部と接触してスライダ１２に荷重を加える。
【０００４】
ところで、このような構造のＨＧＡ １０では、空気流動やアクチュエータの振動によってロードビーム１５が振動し、そのロードビーム１５の振動が前記ロードポイント１５ａを介してそのままスライダ１２に伝達される問題がある。すなわち、剛体であるロードポイント１５ａとスライダ１２とが、同様に剛体の弾性支持部材１３を挟んで、直接、接触しているため、ロードビーム１５の振動は、減衰しないでそのままスライダ１２に伝わる。また、空気流動またはディスクＤの回転時のディスクの振動によって励振されるスライダ１２の振動が減衰されないため、ＨＧＡ １０の振動が大きくなる。その結果、磁気ヘッド１１の位置誤差信号が大きくなる。ハードディスクドライブにおける位置誤差信号は主にスピンドルモータ４０とディスクＤの回転時に発生する振動と、前記ＨＧＡ １０の振動とに起因するが、周波数３ｋＨｚ以上の位置誤差信号エネルギーは、主にＨＧＡ １０の振動によって生じる。ところで、３ｋＨｚ以上の振動は一般的にハードディスクドライブのサーボ制御システムの帯域幅を外れる領域であるため、この振動を減衰させるための制御が事実上不可能である。最近では、一般的に高トラック密度の大容量ハードディスクが求められることを勘案するならば、このような制御不能領域の位置誤差信号は製品の信頼性を落とす主要因として作用する可能性が大きい。従って、このような短所を解消できる新しい構造のＨＧＡが求められている。
【発明の開示】
【発明が解決しようとする課題】
【０００５】
本発明は、上記従来のＨＧＡの問題点を勘案して創出されたものであり、磁気ヘッドが搭載されたスライダへの振動伝達を抑制する防振機能を備えたハードディスクドライブのＨＧＡを提供するところにその目的がある。
【課題を解決するための手段】
【０００６】
上記の目的を達成するために、本発明によるハードディスクドライブのＨＧＡは、回動アームに連結されたロードビームと、磁気ヘッドが搭載されたスライダと、一端が前記ロードビームに結合され、他端の自由端が前記スライダを支持する弾性支持部材と、前記ロードビームと前記スライダの間に両者の間の振動伝達を緩和させるダンパとを備えることを特徴とする。
【発明の効果】
【０００７】
本発明によるハードディスクドライブのＨＧＡは、スライダに伝達される振動を所定のダンパで減衰させることにより、振動による位置誤差の影響を減らして製品の信頼性を向上させることができる。
【発明を実施するための最良の形態】
【０００８】
図５および図６は、本発明によるハードディスクドライブのＨＧＡの実施形態を示す。
図示されたように、本発明のＨＧＡは、回動アーム２０（図１参照）に結合されるベースプレート１６０と、ヒンジ部材１４０を介してベースプレート１６０に連結されたロードビーム１５０と、磁気ヘッド１１０が搭載されたスライダ１２０と、一端がロードビーム１５０に結合され、他端の自由端が前記スライダ１２０を支持する弾性支持部材１３０と、前記弾性支持部材１３０と前記ロードビーム１５０の下面に設けられたロードポイント１５１との間に介設されたダンピング部材２００とを含んで構成される。
【０００９】
前記ダンピング部材２００は、前記弾性支持部材１３０を介してスライダ１２０とロードビーム１５０の相互の間で伝達される振動を減衰させる機能を有する部材である。このダンピング部材２００としては、例えば、軽くて減衰性能を備えたプラスチック材質のものを採用することが望ましい。
【００１０】
このように、ダンピング部材２００を介設することによって、ロードビーム１５０からスライダ１２０に、またはスライダ１２０からロードビーム１５０に伝えられる振動が全てこのダンピング部材２００を経由するため、ロードビーム１５０とスライダ１２０の相互の振動による影響が低減される。このようなダンピング部材２００の効果をさらに明確に知るために、周波数範囲３〜１２ｋＨｚで従来のＨＧＡと本発明のＨＧＡについて、ＮＲＲＯ（Ｎｏｎ−Ｒｅｐｅａｔａｂｌｅ Ｒｕｎ Ｏｕｔ）ＰＥＳ（Ｐｏｓｉｔｉｏｎ Ｅｒｒｏｒ Ｓｉｇｎａｌ）およびＲＲＯ（Ｒｅｐｅａｔａｂｌｅ Ｒｕｎ Ｏｕｔ）ＰＥＳを比較測定してみた。ここで、ＲＲＯ ＰＥＳはハードディスクの回転速度に同期された位置誤差信号をいい、ＮＲＲＯ ＰＥＳはその他の同期されない位置誤差信号をいう。その結果、ＮＲＲＯ ＰＥＳについては、図７Ａおよび７Ｂに図示されたように、本発明のＨＧＡ（図７Ｂ参照）では、従来のＨＧＡ（図７Ａ参照）に比べて平均的に４０％ほど減少し、ＲＲＯ ＰＥＳについては、図８Ａと図８Ｂとに図示されたように、本発明のＨＧＡ（図８Ｂ参照）では、従来のＨＧＡ（図８Ａ参照）より２０％ほど減少することを確認できた。これは、前記ダンピング部材２００が、スライダ１２０とロードビーム１５０との間で伝達される振動を減衰させたことによる結果である。従って、上記の通りにスライダ１２０とロードビーム１５０の間に伝えられる振動をダンピング部材２００で減衰させることによって、位置誤差信号を減らし、製品の信頼度を向上させることができる。
【００１１】
一方、上記の実施形態では、ダンパとしてプラスチック材質のダンピング部材２００を用いたが、圧電素子やマイクロアクチュエータのように減衰性能を変更できる手段を採用することもできる。すなわち、前記ダンピング部材２００は、一旦配設されれば振動減衰性能が固定されるが、前記圧電素子やマイクロアクチュエータは電流供給によって変位が発生して振動の減衰性能を変えることができる手段である。従って、このような圧電素子やマイクロアクチュエータを、弾性支持部材１３０のスライダ１２０を支持する部位とロードポイント１５１との間に設けて電流を制御すれば、その減衰性能が調節されて所望の減衰効果が得られるようになる。
【産業上の利用可能性】
【００１２】
本発明によるハードディスクドライブのＨＧＡは、スライダに伝達される振動を所定のダンパで減衰させることにより、振動による位置誤差の影響を減らすことができる。そのため、例えば、信頼性の高いハードディスクドライブ製造に効果的に適用可能である。
【図面の簡単な説明】
【００１３】
【図１】一般的なハードディスクドライブの内部構造を示す斜視図である。
【図２】従来のＨＧＡの分解斜視図である。
【図３】図２のＨＧＡの組立状態を示す斜視図である。
【図４】図３のＨＧＡの側面図である。
【図５】本発明によるＨＧＡの分解斜視図である。
【図６】図５に図示されたＨＧＡの組立状態を示す側面図である。
【図７Ａ】従来のＨＧＡのＮＲＲＯ ＰＥＳを測定した結果を示すグラフである。
【図７Ｂ】本発明のＨＧＡのＮＲＲＯ ＰＥＳを測定した結果を示すグラフである。
【図８Ａ】従来のＨＧＡのＲＲＯ ＰＥＳを測定した結果を示すグラフである。
【図８Ｂ】本発明のＨＧＡのＲＲＯ ＰＥＳを測定した結果を示すグラフである。
【符号の説明】
【００１４】
１１０      磁気ヘッド
１２０      スライダ
１３０      弾性支持部材
１４０      ヒンジ部材
１５０      ロードビーム
１５１      ロードポイント
１６０      ベースプレート
２００      ダンピング部材
【図１】
2004296074.tif 000003
【図２】
2004296074.tif 000004
【図３】
2004296074.tif 000005
【図４】
2004296074.tif 000006
【図５】
2004296074.tif 000007
【図６】
2004296074.tif 000008
【図７Ａ】
2004296074.tif 000009
【図７Ｂ】
2004296074.tif 000010
【図８Ａ】
2004296074.tif 000011
【図８Ｂ】
2004296074.tif 000012